(57)【要約】【課題】空気調和機の省エネ制御は、室内の要求負荷や空気調和状態に関係なく突入判定するという課題を有していた。【解決手段】空気調和機室内ユニットの室内吸込み温度検出値とリモコン設定温度との差温を演算し、前記演算値が所定の設定値以下を所定時間以上継続すると省エネモードに突入させ、前記演算値が所定の設定値を超えた場合に通常の運転に戻す制御をなすことにより、要求負荷に応じた空気調和と省エネ効果を両立してもたらす空気調和機を提供することができる。【選択図】図１
2006118732.tif 000002
【特許請求の範囲】
【請求項１】
能力可変型圧縮機と室外熱交換器と室外ファンと電動膨張弁を有する室外機と、室内熱交換器と室内ファンを有する室内機とを接続し、省エネ設定ＳＷを有するリモコン操作により運転を行う空気調和機において、冷房運転中室内吸込み温度とリモコン設定温度との差温に基づいて要求負荷を判断し圧縮機の運転周波数を決定する手段を有し、前記リモコンにある省エネ設定ＳＷ操作で省エネ監視を開始し、前記室内吸込み温度とリモコン設定温度との差温が所定の設定値以下を所定時間以上継続することで省エネモードに突入し、前記要求負荷を低下させて圧縮機運転周波数を低下することで省エネを行うことを特徴とした空気調和機。
【請求項２】
能力可変型圧縮機と室外熱交換器と室外ファンと電動膨張弁を有する室外機と、室内熱交換器と室内ファンを有する室内機とを接続し、省エネ設定ＳＷを有するリモコン操作により運転を行う空気調和機において、暖房運転中リモコン設定温度と室内吸込み温度との差温に基づいて要求負荷を判断し圧縮機の運転周波数を決定する手段を有し、前記リモコンにある省エネ設定ＳＷ操作で省エネ監視を開始し、前記リモコン設定温度と室内吸込み温度との差温が所定の設定値以下を所定時間以上継続することで省エネモードに突入し、前記要求負荷を低下させて圧縮機運転周波数を低下することで省エネを行うことを特徴とした空気調和機。
【請求項３】
室外熱交換器に装着した熱交換器を検出する温度センサーで冷房運転中凝縮温度を検知する手段を有し、前記冷房運転中前記リモコンにある省エネ設定ＳＷ操作で省エネ監視を開始し、前記室内吸込み温度とリモコン設定温度との差温が所定の設定値以下を所定時間以上継続することで省エネモードに突入し、前記室外ファンの回転数制御を、通常の冷房運転中とは独立し前記凝縮温度を入力とした目標凝縮温度一定となる制御手段を有することを特徴とした、請求項1に記載の空気調和機。
【請求項４】
室外熱交換器に装着した熱交換器を検出する温度センサーで暖房運転中蒸発温度を検知する手段を有し、前記暖房運転中前記リモコンにある省エネ設定ＳＷ操作で省エネ監視を開始し、前記リモコン設定温度と室内吸込み温度との差温が所定の設定値以下を所定時間以上継続することで省エネモードに突入し、前記室外ファンの回転数制御を、通常の暖房運転中とは独立し前記蒸発温度を入力とした目標蒸発温度一定となる制御手段を有することを特徴とした、請求項２に記載の空気調和機。
【請求項５】
室内熱交換器に装着した熱交換器を検出する温度センサーで冷房運転中蒸発温度を検知する手段を有し、前記冷房運転中前記リモコンにある省エネ設定ＳＷ操作で省エネ監視を開始し、前記室内吸込み温度とリモコン設定温度との差温が所定の設定値以下を所定時間以上継続することで省エネモードに突入し、前記室内ファンの回転数制御を、リモコンの設定風量とは独立し前記蒸発温度を入力とした目標蒸発温度一定となる制御手段を有することを特徴とした、請求項１あるいは３に記載の空気調和機。
【請求項６】
室内熱交換器に装着した熱交換器を検出する温度センサーで暖房運転中凝縮温度を検知する手段を有し、前記暖房運転中前記リモコンにある省エネ設定ＳＷ操作で省エネ監視を開始し、前記リモコン設定温度と室内吸込み温度との差温が所定の設定値以下を所定時間以上継続することで省エネモードに突入し、前記室内ファンの回転数制御を、リモコンの設定風量とは独立し前記凝縮温度を入力とした目標凝縮温度一定となる制御手段を有することを特徴とした、請求項２あるいは４に記載の空気調和機。
【発明の詳細な説明】
【技術分野】
【０００１】
本発明は、リモコンからの省エネ設定と、室内吸込み温度とリモコン設定温度の差温から省エネモードに突入し省エネ効果を得る空気調和機に関する。
【背景技術】
【０００２】
従来の空気調和機の省エネ方法は、通常モードと省エネモードを切り替えＳＷで選択し、省エネモードの時に、外気温度と一義的に決められた基準外気温度とを入力とし、これらの偏差から設定温度を決定している（例えば、特許文献１参照）。
【０００３】
図７フローチャートは特許文献１に記載された従来の空気調和機の接続異常制御を示すものである。図７フローチャートに示すように、省エネモード判定手段１０１と、温度設定手段１０２と、外気温度入力手段１０３と、運転モード判定手段１０４と、一義的に定められた外気温度と現在の外気温度を比較する冷房時比較手段１０６、暖房時比較手段１１０と、外気温度より一義的に外気温度−５Ｋと定める冷房時温度設定手段１０５、外気温度＋５Ｋと定める暖房時温度設定手段１０９と、冷房時比較手段１０６で一義的に定められた外気温度より高いと判断した時温度設定を決定する手段１０８と、暖房時比較手段１１０で一義的に定められた外気温度より低いと判断した時温度設定を決定する手段１１１と、設定温度に応じた圧縮機制御１１３とから構成されており、省エネモードの突入をＳＷによって行い、省エネモードの時に、現在の外気温度を入力として設定温度を決定している。
【特許文献１】特開平６−７４５１９号公報
【発明の開示】
【発明が解決しようとする課題】
【０００４】
しかしながら、前記従来の構成では、ユーザーが希望する設定温度や室内の負荷状態に関係なく、一義的に定められた外気温度しきい値より現在の外気温度状態から設定温度を決定していることから、低外気温度で室内負荷の大きい冷房運転時や高外気温度で室内負荷の大きい暖房運転時に、いつまでも希望する設定温度に到達しない、また、要求負荷に応じた空気調和が出来ないという課題を有していた。
【０００５】
本発明は、前記従来の課題を解決するもので、省エネモード設定された時にでも、ユーザーが希望するリモコン設定温度や室内要求負荷に応じた空気調和が行え、かつ、省エネ効果をもたらす空気調和機を提供することを目的とする。
【課題を解決するための手段】
【０００６】
前記従来の課題を解決するために、本発明の空気調和機は、能力可変型圧縮機と室外熱交換器と室外ファンと電動膨張弁を有する室外機と、室内熱交換器と室内ファンを有する室内機とを接続し、省エネ設定ＳＷを有するリモコン操作により運転を行う空気調和機において、室内吸込み温度とリモコン設定温度との差温に基づいて要求負荷を判断し圧縮機の運転周波数を決定する手段を有し、前記リモコンにある省エネ設定ＳＷ操作で省エネ監視を開始し、前記室内吸込み温度とリモコン設定温度との差温が所定の設定値以下を所定時間以上継続することで省エネモードに突入し、前記要求負荷を低下させて圧縮機運転周波数を低下することで省エネを行うことを特徴としたものである。
【０００７】
これによって、省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下することで省エネ効果をもたらすこ
とができる。
【０００８】
また、本発明の空気調和機は、室外熱交換器に装着した熱交換器を検出する温度センサーで冷房運転中凝縮温度を検知する手段を有し、前記冷房運転中前記リモコンにある省エネ設定ＳＷ操作で省エネ監視を開始し、前記室内吸込み温度とリモコン設定温度との差温が所定の設定値以下を所定時間以上継続することで省エネモードに突入し、前記室外ファンの回転数制御を、通常の冷房運転中とは独立し前記凝縮温度を入力とした目標凝縮温度一定となる制御手段を有することを特徴としたものである。
【０００９】
これによって、省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下し、更に室外ファン制御を通常の運転中とは独立した制御として冷凍サイクルの凝縮温度を低下させることにより省エネ効果をもたらすことができる。
【発明の効果】
【００１０】
本発明の空気調和機は、省エネ設定時に、室内の空気調和状態が、ユーザーが希望するリモコン設定温度や室内要求負荷に応じた空気調和が行えているかを判断して省エネモードに突入でき省エネ効果をもたらすことができる。
【発明を実施するための最良の形態】
【００１１】
第１の発明は、能力可変型圧縮機と室外熱交換器と室外ファンと電動膨張弁を有する室外機と、室内熱交換器と室内ファンを有する室内機とを接続し、省エネ設定ＳＷを有するリモコン操作により運転を行う空気調和機において、室内吸込み温度とリモコン設定温度との差温に基づいて要求負荷を判断し圧縮機の運転周波数を決定する手段を有し、前記リモコンにある省エネ設定ＳＷ操作で省エネ監視を開始し、前記室内吸込み温度とリモコン設定温度との差温が所定の設定値以下を所定時間以上継続することで省エネモードに突入し、前記要求負荷を低下させて圧縮機運転周波数を低下することで、冷房運転の省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下することで省エネ効果をもたらすことができる。
【００１２】
第２の発明は、能力可変型圧縮機と室外熱交換器と室外ファンと電動膨張弁を有する室外機と、室内熱交換器と室内ファンを有する室内機とを接続し、省エネ設定ＳＷを有するリモコン操作により運転を行う空気調和機において、暖房運転中リモコン設定温度と室内吸込み温度との差温に基づいて要求負荷を判断し圧縮機の運転周波数を決定する手段を有し、前記リモコンにある省エネ設定ＳＷ操作で省エネ監視を開始し、前記リモコン設定温度と室内吸込み温度との差温が所定の設定値以下を所定時間以上継続することで省エネモードに突入し、前記要求負荷を低下させて圧縮機運転周波数を低下することで、暖房運転の省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下することで省エネ効果をもたらすことができる。
【００１３】
第３の発明は、前記室外熱交換器に装着した熱交換器を検出する温度センサーで冷房運転中凝縮温度を検知する手段を有し、前記冷房運転中前記リモコンにある省エネ設定ＳＷ操作で省エネ監視を開始し、前記室内吸込み温度とリモコン設定温度との差温が所定の設定値以下を所定時間以上継続することで省エネモードに突入し、前記室外ファンの回転数制御を、通常の冷房運転中とは独立し前記凝縮温度を入力とした目標凝縮温度一定となる制御手段を有することで、冷房運転の省エネ設定時に、室内の空気調和状態が、ユーザーが希望するリモコン設定温度や室内要求負荷に応じた空気調和が行えているかを判断して
省エネモードに突入でき、要求負荷を低下させて圧縮機運転周波数を低下し、更に室外ファン制御を通常の運転中とは独立した制御として冷凍サイクルの凝縮温度を低下させることにより省エネ効果をもたらすことができる。
【００１４】
第４の発明は、前記室外熱交換器に装着した熱交換器を検出する温度センサーで暖房運転中蒸発温度を検知する手段を有し、前記暖房運転中前記リモコンにある省エネ設定ＳＷ操作で省エネ監視を開始し、前記リモコン設定温度と室内吸込み温度との差温が所定の設定値以下を所定時間以上継続することで省エネモードに突入し、前記室外ファンの回転数制御を、通常の暖房運転中とは独立し前記蒸発温度を入力とした目標蒸発温度一定となる制御手段を有することで、暖房運転の省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下し、更に室外ファン制御を通常の運転中とは独立した制御として冷凍サイクルの蒸発能力を低下させることにより省エネ効果をもたらすことができる。
【００１５】
第５の発明は、前記室内熱交換器に装着した熱交換器を検出する温度センサーで冷房運転中蒸発温度を検知する手段を有し、前記冷房運転中前記リモコンにある省エネ設定ＳＷ操作で省エネ監視を開始し、前記室内吸込み温度とリモコン設定温度との差温が所定の設定値以下を所定時間以上継続することで省エネモードに突入し、前記室内ファンの回転数制御を、リモコンの設定風量とは独立し前記蒸発温度を入力とした目標蒸発温度一定となる制御手段を有することで、冷房運転の省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下し、室外ファン制御を通常の運転中とは独立した制御として冷凍サイクルの凝縮温度を低下させ、更に室内ファン回転数制御を通常の回転数制御とは独立した制御として蒸発能力を低下させることにより省エネ効果をもたらすことができる。
【００１６】
第６の発明は、前記室内熱交換器に装着した熱交換器を検出する温度センサーで暖房運転中凝縮温度を検知する手段を有し、前記暖房運転中前記リモコンにある省エネ設定ＳＷ操作で省エネ監視を開始し、前記リモコン設定温度と室内吸込み温度との差温が所定の設定値以下を所定時間以上継続することで省エネモードに突入し、前記室内ファンの回転数制御を、リモコンの設定風量とは独立し前記凝縮温度を入力とした目標凝縮温度一定となる制御手段を有することで、暖房運転の省エネ設定時に、室内の空気調和状態が、ユーザーが希望するリモコン設定温度や室内要求負荷に応じた空気調和が行えているかを判断して省エネモードに突入でき、要求負荷を低下させて圧縮機運転周波数を低下し、室外ファン制御を通常の運転中とは独立した制御として冷凍サイクルの蒸発能力を低下させ、更に室内ファン回転数制御を通常の回転数制御とは独立した制御として凝縮温度を低下させるることにより省エネ効果をもたらすことができる。
以下、本発明の実施の形態について、図面を参照しながら説明する。なお、この実施の形態によって本発明が限定されるものではない。
【００１７】
（実施の形態１）
図１は、本発明の第１の実施の形態における空気調和機のフローチャートを示した図である。図1において、冷房運転１０の、要求負荷に基づく圧縮機運転周波数の決定１７は、リモコン操作による省エネ設定１２がされていない時には、吸込温度とリモコン設定温度の差温より判断する要求負荷判定手段１１から要求負荷を判断し、省エネ設定１２がされているときには、省エネ突入負荷判定１３、省エネ突入負荷判定１３の継続時間判定１４より省エネモード１５に突入し、省エネモード要求負荷決定手段１６で要求負荷を決定し圧縮機運転周波数の決定１７の入力とする構成となっている。
【００１８】
図１より空気調和機の動作、作用について説明する。
【００１９】
冷房運転１０において、リモコンの省エネ設定１２がされていない通常時、圧縮機の運転周波数１７は、室内の吸込温度とリモコンの設定温度の差温に基づき要求負荷判定手段１１から要求負荷を判断し決定する。
【００２０】
リモコンの省エネ設定１２がユーザーの意思により設定された時は、室内の吸込温度とリモコンの設定温度の差温が１Ｋ以下であるかを省エネ突入負荷判定１３で判断し、かつ、省エネ突入負荷判定１３が３０分間以上継続しているかを継続時間判定１４で判断し、省エネモード１５に突入する。
【００２１】
省エネモード１５に突入した時圧縮機の運転周波数決定１７の入力とする室内要求負荷は、通常の要求負荷判定手段で算出される室内の吸込温度とリモコンの設定温度の差温から△０．５Ｋ差し引いた要求負荷とする省エネ要求負荷決定手段１６の値を用いて圧縮機の運転周波数を決定する。
【００２２】
上記のことより、冷房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することで省エネ効果を得て、要求負荷すなわち吸込温度とリモコン設定温度の差温が１Ｋ超となれば、要求負荷に応じた通常の圧縮機運転周波数決定をすることにより、要求負荷に応じた空気調和と省エネ効果を両立してもたらす冷房運転をすることができる。
【００２３】
（実施の形態２）
図２は、本発明の第２の実施の形態における空気調和機の風向制御のフローチャートを示した図である。図２において、図１と同じ構成要素については同じ符号を用い、説明を省略する。
【００２４】
暖房運転２０の、要求負荷に基づく圧縮機運転周波数の決定２７は、リモコン操作による省エネ設定１２がされていない時には、リモコン設定温度と吸込温度の差温より判断する要求負荷判定手段２１から要求負荷を判断し、省エネ設定１２がされているときには、省エネ突入負荷判定２３、省エネ突入負荷判定２３の継続時間判定２４より省エネモード２５に突入し、省エネモード要求負荷決定手段２６で要求負荷を決定し圧縮機運転周波数の決定２７の入力とする構成となっている。
【００２５】
以上のように構成された空気調和機について、図２より以下その動作、作用を説明する。
【００２６】
暖房運転２０において、リモコンの省エネ設定１２がされていない通常時、圧縮機の運転周波数２７は、室内のリモコンの設定温度と吸込温度の差温に基づき要求負荷判定手段２１から要求負荷を判断し決定する。
【００２７】
リモコンの省エネ設定１２がユーザーの意思により設定された時は、室内のリモコンの設定温度と吸込温度の差温が１Ｋ以下であるかを省エネ突入負荷判定２３で判断し、かつ、省エネ突入負荷判定２３が３０分間以上継続しているかを継続時間判定２４で判断し、省エネモード２５に突入する。省エネモード２５に突入した時圧縮機の運転周波数決定２７の入力とする室内要求負荷は、通常の要求負荷判定手段で算出される室内の吸込温度とリモコンの設定温度の差温から△０．５Ｋ差し引いた要求負荷とする省エネ要求負荷決定手段２６の値を用いて圧縮機の運転周波数を決定する。
【００２８】
上記のことより、暖房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することで省エネ効果を得て、要求負荷すなわちリモコン設定温度と吸込温度の差温が１Ｋ超となれば、要求負荷に応じた通常の圧縮機運転周波数決定をすることにより、要求負荷に応じた空気調和と省エネ効果を両立してもたらす暖房運転をすることができる。
【００２９】
（実施の形態３）
図３は、本発明の第３の実施の形態における空気調和機の風向制御のフローチャートを示した図である。図３において、図１と同じ構成要素については同じ符号を用い、説明を省略する。
【００３０】
冷房運転１０の、要求負荷に基づく圧縮機運転周波数の決定１７は、省エネ設定１２がされているときには、省エネ突入負荷判定１３、省エネ突入負荷判定１３の継続時間判定１４より省エネモード１５に突入し、省エネモード要求負荷決定手段１６で要求負荷を決定し圧縮機運転周波数の決定１７の入力とする。
【００３１】
また、省エネモード１５に突入した時は、通常の室外ファン制御３１とは独立する室外熱  交温度検知手段３２により検知した凝縮温度と、省エネモード時目標凝縮温度設定３３を入力とした室外ファン目標凝縮温度一定制御３４を行う構成となっている。
【００３２】
以上のように構成された空気調和機について、図３より以下その動作、作用を説明する。
【００３３】
冷房運転１０において、リモコンの省エネ設定１２がされていない通常時、圧縮機の運転周波数１７は、室内の吸込温度とリモコンの設定温度の差温に基づき要求負荷判定手段１１から要求負荷を判断して決定し、室外ファンは通常制御する。リモコンの省エネ設定１２がユーザーの意思により設定された時は、室内の吸込温度とリモコンの設定温度の差温が１Ｋ以下であるかを省エネ突入負荷判定１３で判断し、かつ、省エネ突入負荷判定１３が３０分間以上継続しているかを継続時間判定１４で判断し、省エネモード１５に突入する。
【００３４】
省エネモード１５に突入した時圧縮機の運転周波数決定１７の入力とする室内要求負荷は、通常の要求負荷判定手段で算出される室内の吸込温度とリモコンの設定温度の差温から△０．５Ｋ差し引いた要求負荷とする省エネ要求負荷決定手段１６の値を用いて圧縮機の運転周波数を決定する。
【００３５】
また、室外ファン制御は通常の室外ファン通常制御とは独立した室外ファン目標凝縮温度一定制御３４を、室外熱交温度検知手段３２により検知した凝縮温度と、圧縮機の許容凝縮温度の下限値付近に設定した省エネモード時目標凝縮温度設定３３を入力として、冷凍サイクルの凝縮温度が一定になるよう室外ファンの回転数を制御する。
【００３６】
上記のことより、冷房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することと、冷凍サイクルの凝縮温度を低下させ圧縮機の消費電力を低下することで省エネ効果を得て、要求負荷すなわち吸込温度とリモコン設定温度の差温が１Ｋ超となれば、要求負荷に応じた通常の圧縮機運転周波数決定と通常室外ファン制御をすることにより、要求負荷に応じた空気調和と省エネ効果を両立してもたらす冷房運転をすることができる。
【００３７】
（実施の形態４）
図４は、本発明の第４の実施の形態における空気調和機の風向制御のフローチャートを示した図である。図４において、図２と同じ構成要素については同じ符号を用い、説明を省略する。
【００３８】
暖房運転２０の、要求負荷に基づく圧縮機運転周波数の決定２７は、省エネ設定１２がされているときには、省エネ突入負荷判定２３、省エネ突入負荷判定２３の継続時間判定２４より省エネモード２５に突入し、省エネモード要求負荷決定手段２６で要求負荷を決定し圧縮機運転周波数の決定２７の入力とする。
【００３９】
また、省エネモード１５に突入した時は、通常の室外ファン制御４１とは独立する室外熱交温度検知手段４２により検知した蒸発温度と、省エネモード時目標蒸発温度設定４３を入力とした室外ファン目標凝縮温度一定制御４４を行う構成となっている。
【００４０】
以上のように構成された空気調和機について、図４より以下その動作、作用を説明する。
【００４１】
暖房運転２０において、リモコンの省エネ設定１２がされていない通常時、圧縮機の運転周波数２７は、室内のリモコンの設定温度と吸込温度の差温に基づき要求負荷判定手段２１から要求負荷を判断して決定し、室外ファンは通常制御する。
【００４２】
リモコンの省エネ設定１２がユーザーの意思により設定された時は、室内のリモコンの設定温度と吸込温度の差温が１Ｋ以下であるかを省エネ突入負荷判定２３で判断し、かつ、省エネ突入負荷判定２３が３０分間以上継続しているかを継続時間判定２４で判断し、省エネモード２５に突入する。
【００４３】
省エネモード２５に突入した時圧縮機の運転周波数決定２７の入力とする室内要求負荷は、通常の要求負荷判定手段で算出される室内の吸込温度とリモコンの設定温度の差温から△０．５Ｋ差し引いた要求負荷とする省エネ要求負荷決定手段２６の値を用いて圧縮機の運転周波数を決定する。また、室外ファン制御は通常の室外ファン通常制御とは独立した室外ファン目標蒸発温度一定制御４４を、室外熱交温度検知手段４２により検知した蒸発温度と、目標蒸発温度と外気温度との差温が低めになるよう設定した省エネモード時目標蒸発温度設定４３を入力として、冷凍サイクルの蒸発温度が一定になるよう室外ファンの回転数を制御する。
【００４４】
上記のことより、暖房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することと、冷凍サイクルの給熱量を下げ圧縮機の消費電力を低下することで省エネ効果を得て、要求負荷すなわちリモコン設定温度と吸込温度の差温が１Ｋ超となれば、要求負荷に応じた通常の圧縮機運転周波数決定をすることにより、要求負荷に応じた空気調和と省エネ効果を両立してもたらす暖房運転をすることができる。
【００４５】
（実施の形態５）
図５は、本発明の第５の実施の形態における空気調和機の風向制御のフローチャートを示した図である。図５において、図１及び図３と同じ構成要素については同じ符号を用い、説明を省略する。
【００４６】
冷房運転１０の、要求負荷に基づく圧縮機運転周波数の決定１７は、省エネ設定１２がされているときには、省エネ突入負荷判定１３、省エネ突入負荷判定１３の継続時間判定
１４より省エネモード１５に突入し、省エネモード要求負荷決定手段１６で要求負荷を決定し圧縮機運転周波数の決定１７の入力とする。
【００４７】
また、省エネモード１５に突入した時は、通常の室外ファン制御３１とは独立する室外熱交温度検知手段３２により検知した凝縮温度と、省エネモード時目標凝縮温度設定３３を入力とした室外ファン目標凝縮温度一定制御３４を行い、室内ファンは、通常の室内ファン通常リモコン設定制御５０とは独立した室内熱交温度検知手段５１により検知した蒸発温度と、省エネモード時室内目標蒸発温度設定５２を入力とした室内ファン目標蒸発温度一定制御５３を行う構成となっている。
【００４８】
以上のように構成された空気調和機について、図５より以下その動作、作用を説明する。
【００４９】
冷房運転１０において、リモコンの省エネ設定１２がされていない通常時、圧縮機の運転周波数１７は、室内の吸込温度とリモコンの設定温度の差温に基づき要求負荷判定手段１１から要求負荷を判断して決定し、室外ファンは通常制御する。
【００５０】
リモコンの省エネ設定１２がユーザーの意思により設定された時は、室内の吸込温度とリモコンの設定温度の差温が１Ｋ以下であるかを省エネ突入負荷判定１３で判断し、かつ、省エネ突入負荷判定１３が３０分間以上継続しているかを継続時間判定１４で判断し、省エネモード１５に突入する。
【００５１】
省エネモード１５に突入した時圧縮機の運転周波数決定１７の入力とする室内要求負荷は、通常の要求負荷判定手段で算出される室内の吸込温度とリモコンの設定温度の差温から△０．５Ｋ差し引いた要求負荷とする省エネ要求負荷決定手段１６の値を用いて圧縮機の運転周波数を決定する。
【００５２】
また、室外ファン制御は通常の室外ファン通常制御とは独立した室外ファン目標凝縮温度一定制御３４を、室外熱交温度検知手段３２により検知した凝縮温度と、圧縮機の許容凝縮温度の下限値付近に設定した省エネモード時目標凝縮温度設定３３を入力として、冷凍サイクルの凝縮温度が一定になるよう室外ファンの回転数を制御する。
【００５３】
また、室内ファン制御は通常の室内ファン通常リモコン設定制御５０とは独立した室内ファン目標蒸発温度一定制御５３を、室内熱交温度検知手段５１により検知した蒸発温度と、目標蒸発温度と室内吸込温度との差温が低めになるよう設定した省エネモード時室内目標蒸発温度設定５２を入力とした室内ファン目標蒸発温度一定制御５３を行う。
【００５４】
上記のことより、冷房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することと、冷凍サイクルの凝縮温度を低下させ、蒸発温度を上昇して圧縮機の消費電力を低下することで省エネ効果を得て、要求負荷すなわち吸込温度とリモコン設定温度の差温が１Ｋ超となれば、要求負荷に応じた通常の圧縮機運転周波数決定と通常室外ファン制御をすることにより、要求負荷に応じた空気調和と省エネ効果を両立してもたらす冷房運転をすることができる。
【００５５】
（実施の形態６）
図６は、本発明の第６の実施の形態における空気調和機の風向制御のフローチャートを示した図である。図６において、図２及び図４と同じ構成要素については同じ符号を用い、説明を省略する。
【００５６】
暖房運転２０の、要求負荷に基づく圧縮機運転周波数の決定２７は、省エネ設定１２がされているときには、省エネ突入負荷判定２３、省エネ突入負荷判定２３の継続時間判定２４より省エネモード２５に突入し、省エネモード要求負荷決定手段２６で要求負荷を決定し圧縮機運転周波数の決定２７の入力とする。
【００５７】
また、省エネモード１５に突入した時は、通常の室外ファン制御４１とは独立する室外熱交温度検知手段４２により検知した蒸発温度と、省エネモード時目標蒸発温度設定４３を入力とした室外ファン目標凝縮温度一定制御４４を行い、室内ファンは、通常の室内ファン通常リモコン設定制御６０とは独立した室内熱交温度検知手段６１により検知した凝縮温度と、省エネモード時室内目標凝縮温度設定６２を入力とした室内ファン目標蒸発温度一定制御６３を行う構成となっている。
【００５８】
以上のように構成された空気調和機について、図６より以下その動作、作用を説明する。
【００５９】
暖房運転２０において、リモコンの省エネ設定１２がされていない通常時、圧縮機の運転周波数２７は、室内のリモコンの設定温度と吸込温度の差温に基づき要求負荷判定手段２１から要求負荷を判断して決定し、室外ファンは通常制御する。
【００６０】
リモコンの省エネ設定１２がユーザーの意思により設定された時は、室内のリモコンの設定温度と吸込温度の差温が１Ｋ以下であるかを省エネ突入負荷判定２３で判断し、かつ、省エネ突入負荷判定２３が３０分間以上継続しているかを継続時間判定２４で判断し、省エネモード２５に突入する。
【００６１】
省エネモード２５に突入した時圧縮機の運転周波数決定２７の入力とする室内要求負荷は、通常の要求負荷判定手段で算出される室内の吸込温度とリモコンの設定温度の差温から△０．５Ｋ差し引いた要求負荷とする省エネ要求負荷決定手段２６の値を用いて圧縮機の運転周波数を決定する。
【００６２】
また、室外ファン制御は通常の室外ファン通常制御とは独立した室外ファン目標蒸発温度一定制御４４を、室外熱交温度検知手段４２により検知した蒸発温度と、目標蒸発温度と外気温度との差温が低めになるよう設定した省エネモード時目標蒸発温度設定４３を入力として、冷凍サイクルの蒸発温度が一定になるよう室外ファンの回転数を制御する。
【００６３】
また、室内ファン制御は通常の室内ファン通常リモコン設定制御５０とは独立した室内ファン目標凝縮温度一定制御６３を、室内熱交温度検知手段６１により検知した凝縮温度と、目標凝縮温度と室内吸込温度との差温が低めになるよう設定した省エネモード時室内目標凝縮温度設定６２を入力とした室内ファン目標凝縮温度一定制御６３を行う。
【００６４】
上記のことより、暖房運転の省エネ設定時に、室内の空気調和状態が、ユーザーが希望するリモコン設定温度や室内要求負荷に応じた空気調和が継続して行えているかを判断した上で省エネモードに突入し、要求負荷を低下させて圧縮機運転周波数を低下することと、冷凍サイクルの蒸発温度を上昇させ、凝縮温度を低下して圧縮機の消費電力を低下することで省エネ効果を得て、要求負荷すなわちリモコン設定温度と吸込温度の差温が１Ｋ超となれば、要求負荷に応じた通常の圧縮機運転周波数決定をすることにより、要求負荷に応じた空気調和と省エネ効果を両立してもたらす暖房運転をすることができる。
【産業上の利用可能性】
【００６５】
以上のように、本発明にかかる空気調和機は、リモコンの設定温度と吸込温度の差温と
低要求負荷の継続時間で省エネモードに突入できるので、換気扇との連動、省エネ監視システムの省エネ判定等の用途にも適用できる。
【図面の簡単な説明】
【００６６】
【図１】本発明の実施の形態１における空気調和機のフローチャート
【図２】本発明の実施の形態２における空気調和機のフローチャート
【図３】本発明の実施の形態３における空気調和機のフローチャート
【図４】本発明の実施の形態４における空気調和機のフローチャート
【図５】本発明の実施の形態５における空気調和機のフローチャート
【図６】本発明の実施の形態６における空気調和機のフローチャート
【図７】従来の空気調和機のフローチャート
【符号の説明】
【００６７】
１１  要求負荷判定手段
１２  リモコン省エネ設定
１３  省エネ突入負荷判定
１４  継続時間判定
１５  省エネモード
１６  省エネモード要求負荷判定手段
１７  要求負荷に基づく圧縮機周波数決定
３１  室外ファン通常制御
３２  室外熱交温度検知手段
３３  省エネモード時目標凝縮温度設定
３４  室外ファン目標凝縮温度一定制御
４３  省エネモード時目標蒸発温度設定
４４  室外ファン目標蒸発温度一定制御
５１  室内熱交温度検知手段
５２  省エネモード時室内目標蒸発温度設定
５３  室内ファン目標蒸発温度一定制御
６２  省エネモード時室内目標凝縮温度設定
６３  室内ファン目標凝縮温度一定制御
【図１】
2006118732.tif 000003
【図２】
2006118732.tif 000004
【図３】
2006118732.tif 000005
【図４】
2006118732.tif 000006
【図５】
2006118732.tif 000007
【図６】
2006118732.tif 000008
【図７】
2006118732.tif 000009